(57)【要約】本発明は記録媒体に記録される少なくとも停止映像の再生を管理するためのデータ構造を有する記録媒体、それによる記録及び再生方法及び装置に関する。記録媒体には少なくとも一つの情報ファイルが含まれる情報ファイル領域がある。前記情報ファイルは記録媒体に記録されるデータファイルと連係し、前記データファイルには少なくともビデオデータが含まれる。前記情報ファイルには前記データファイル内のビデオデータが少なくとも一つの停止映像に対するものであるかを指すタイプインジケーターが含まれる。
2005538605.tif 000002
【特許請求の範囲】
【請求項１】
記録媒体に記録される少なくとも停止映像の再生を管理するためのデータ構造を有する記録媒体であって、
前記記録媒体は、
少なくとも一つの情報ファイルを含む情報ファイル領域を含んで構成されて、
前記情報ファイルは前記記録媒体に記録されるデータファイルと連係して、前記データファイルには少なくともビデオデータが含まれて、前記情報ファイルには前記データファイル内のビデオデータが少なくとも一つの停止映像に対することであるかを指すタイプインジケーターが含まれることを特徴とする記録媒体。
【請求項２】
前記情報ファイルには以後につながる情報ファイルの長さを指す長さインジケーターがさらに含まれることを特徴とする請求項１に記載の記録媒体。
【請求項３】
データファイルが貯蔵されるデータ領域をさらに含んで構成されることを特徴とする請求項１に記載の記録媒体。
【請求項４】
前記データファイル内の各停止映像はパケッタイズドエレメンタリーストリームパケットで記録されることを特徴とする請求項３に記載の記録媒体。
【請求項５】
各パケッタイズドエレメンタリーストリームパケットには少なくとも一つのソースパケットが含まれることを特徴とする請求項４に記載の記録媒体。
【請求項６】
各ソースパケットには少なくとも一つのトランスポートパケットが含まれることを特徴とする請求項５に記載の記録媒体。
【請求項７】
前記データファイル内のビデオデータは一つまたは複数のパケッタイズドエレメンタリーストリームパケットで記録されることを特徴とする請求項３に記載の記録媒体。
【請求項８】
ただ一つの停止映像が前記データファイル内の各パケッタイズドエレメンタリーストリームパケットにより表現されることを特徴とする請求項７に記載の記録媒体。
【請求項９】
データファイルのビデオデータは、停止映像を表現して、前記データ領域に他のデータとインターリーブされて記録されることを特徴とする請求項３に記載の記録媒体。
【請求項１０】
前記他のデータはムービーデータとオーディオデータのうち少なくともいずれか一つであることを特徴とする請求項９に記載の記録媒体。
【請求項１１】
記録媒体に記録される少なくとも停止映像の再生を管理するためのデータ構造を有する記録媒体において、
前記記録媒体は、
データファイルが貯蔵されるデータ領域を含んで構成されて、ここで
前記データファイルには少なくとも一つの停止映像を表現するビデオデータが含まれて、前記データファイル内の各停止映像はパケッタイズドエレメンタリーストリームパケットで記録されることを特徴とする記録媒体。
【請求項１２】
各パケッタイズドエレメンタリーストリームパケットには少なくとも一つのソースパケットが含まれることを特徴とする請求項１１に記載の記録媒体。
【請求項１３】
各ソースパケットには少なくとも一つのトランスポートパケットが含まれることを特徴とする請求項１２に記載の記録媒体。
【請求項１４】
前記データファイルのビデオデータは前記データ領域に他のデータとインターリーブされて記録されることを特徴とする請求項１１に記載の記録媒体。
【請求項１５】
前記他のデータはムービーデータとオーディオデータのうち少なくともいずれか一つであることを特徴とする請求項１４に記載の記録媒体。
【請求項１６】
記録媒体に記録される少なくとも停止映像の再生を管理するためのデータ構造を有する記録媒体であって、
前記記録媒体は、
データファイルが貯蔵されるデータ領域を含んで構成されて、
前記データファイルには少なくとも一つの停止映像を表現するビデオデータが含まれて、前記データファイル内のビデオデータは一つまたは複数のパケッタイズドエレメンタリーストリームパケットで記録されて、ただ一つの停止映像が前記データファイル内の各パケッタイズドエレメンタリーストリームパケットにより表現されることを特徴とする記録媒体。
【請求項１７】
記録媒体に記録される少なくとも停止映像の再生を管理するためのデータ構造を再生する方法であって、
前記方法は、
前記記録媒体から少なくとも一つの情報ファイルを再生することを含み、
前記情報ファイルは前記記録媒体に記録されるデータファイルと連係して、前記データファイルには少なくともビデオデータが含まれて、前記情報ファイルには前記データファイル内のビデオデータが少なくとも一つの停止映像に対することであるかを指すタイプインジケーターが含まれることを特徴とする方法。
【請求項１８】
記録媒体に記録される少なくとも停止映像の再生を管理するためのデータ構造を再生する装置であって、
前記装置は、
記録媒体に記録されるデータを再生する光再生手段を駆動するドライブ、及び
前記記録媒体から少なくとも一つの情報ファイルを再生するように前記ドライブを制御するコントローラーを含んで構成されて、
前記情報ファイルは前記記録媒体に記録されるデータファイルと連係して、前記データファイルには少なくともビデオデータが含まれて、前記情報ファイルには前記データファイル内のビデオデータが少なくとも一つの停止映像に対することであるかを指すタイプインジケーターが含まれることを特徴とする装置。
【請求項１９】
記録媒体に記録される少なくとも停止映像の再生を管理するためのデータ構造を記録する方法であって、
前記方法は、
前記記録媒体に少なくとも一つの情報ファイルを記録することを含み、
前記情報ファイルは前記記録媒体に記録されるデータファイルと連係して、前記データファイルには少なくともビデオデータが含まれて、前記情報ファイルには前記データファイル内のビデオデータが少なくとも一つの停止映像に対することであるかを指すタイプインジケーターが含まれることを特徴とする方法。
【請求項２０】
記録媒体に記録される少なくとも停止映像の再生を管理するためのデータ構造を記録する装置であって、
前記装置は、
記録媒体にデータを記録する光記録手段を駆動するドライブ、
少なくとも多重再生経路データをエンコーディングするためのエンコーダー、及び
前記記録媒体に少なくとも一つの情報ファイルを記録するように前記ドライブを制御するコントローラーを含んで構成されて、
前記情報ファイルは前記記録媒体に記録されるデータファイルと連係して、前記データファイルには少なくともビデオデータが含まれて、前記情報ファイルには前記データファイル内のビデオデータが少なくとも一つの停止映像に対することであるかを指すタイプインジケーターが含まれることを特徴とする装置。
【発明の詳細な説明】
【技術分野】
【０００１】
本発明は記録媒体に記録される少なくとも停止映像（Ｓｔｉｌｌ  Ｉｍａｇｅｓ）の再生を管理するためのデータ構造を有する記録媒体、それによる記録及び再生方法及び装置に関する。
【背景技術】
【０００２】
最近には、高画質のビデオデータと高音質のオーディオデータを高容量貯蔵することができる新しい高密度再生専用または再記録可能光ディスクに対する規格化作業が急速に展開されて、新しい光ディスクと関連する製品がまもなく商用化されることに期待されている。このような新しい光ディスクに対する例としては再記録可能ブルーレイディスク（ＢＤ−ＲＥ：Ｂｌｕｅ−ｒａｙ  Ｄｉｓｃ  Ｒｅｗｒｉｔａｂｌｅ）と読み取り専用ブルーレイディスク（ＢＤ−ＲＯＭ）がある。
【発明の開示】
【発明が解決しようとする課題】
【０００３】
前記ＢＤ−ＲＯＭのような高密度再生専用光ディスクに対する標準化作業は相変らず進行中である。しかし、前記高密度再生専用光ディスクに記録される停止映像（Ｓｔｉｌｌ  Ｉｍａｇｅｓ）の再生を管理するためのデータ構造に対する効果的な解決方案がまだ用意されていない。
【課題を解決するための手段】
【０００４】
したがって、本発明は前記のような実情を勘案して創作されたものであって、本発明による記録媒体には記録媒体に記録される少なくとも停止映像の再生を管理するためのデータ構造が含まれる。
【０００５】
本発明の一実施形態で、記録媒体の情報ファイル領域には少なくとも一つの情報ファイルが含まれる。前記情報ファイルは記録媒体に記録されるデータファイルと連係し、前記データファイルには少なくともビデオデータが含まれる。前記情報ファイルには前記データファイル内のビデオデータが少なくとも一つの停止映像に対するものであるかを指すタイプインジケーターが含まれる。
【０００６】
本発明の他の実施形態で、データ領域にはデータファイルが貯蔵されて、前記データファイルには少なくとも一つの停止映像を表現するビデオデータが含まれる。ここで、データファイル内の各停止映像はパケッタイズドエレメンタリーストリームパケット（Ｐａｃｋｅｔｉｚｅｄ  Ｅｌｅｍｅｎｔａｒｙ  Ｓｔｒｅａｍ  Ｐａｃｋｅｔｓ）で記録される。
【０００７】
本発明のまた他の実施形態で、データ領域にはデータファイルが貯蔵されて、前記データファイルには少なくとも一つの停止映像を表現するビデオデータが含まれて、前記データファイル内のビデオデータは一つまたは複数のパケッタイズドエレメンタリーストリームパケットで記録される。この実施形態で、ただ一つの停止映像が前記データファイル内の各パケッタイズドエレメンタリーストリームパケットにより表現される。
【０００８】
また、本発明によるデータ構造を記録して再生するための装置と方法が提示される。
【発明を実施するための最良の形態】
【０００９】
以下、本発明に対する望ましい実施形態に対して、添付した図面を参照しながら詳細に説明する。
【００１０】
本発明による高密度光ディスク、例えばＢＤ−ＲＯＭ、ＢＤ−ＲＥなどは、図１に示したように、ビデオとオーディオデータの再生を管理するファイルまたはデータ構造を有する。図１のような本発明によるデータ構造はいろいろな面で公知されたＢＤ−ＲＥのデータ構造と同様である。したがって、同様の部分は詳細な説明を省略する。
【００１１】
図１に示したように、ルートディレクトリには少なくとも一つのＢＤディレクトリがある。前記ＢＤディレクトリには、一般ファイル（図示せず）、再生リスト（例えば、*．ｍｐｌｓ）ファイルが貯蔵されるＰＬＡＹＬＩＳＴディレクトリ、クリップ情報ファイル（*．ｃｌｐｉ）が貯蔵されるＣＬＩＰＩＮＦディレクトリ、及びクリップ情報ファイルに対応するＭＰＥＧ−２フォーマットのＡ／Ｖストリームクリップファイル（*．ｍ２ｔｓ）が貯蔵されるＳＴＲＥＡＭディレクトリがある。
【００１２】
前記ＳＴＲＥＡＭディレクトリにはクリップまたはクリップファイルと呼ばれるＭＰＥＧ−２フォーマットのＡ／Ｖストリームクリップファイルが含まれて、前記Ａ／Ｖストリームにはビデオとオーディオソースパケット（Ｓｏｕｒｃｅ  Ｐａｃｋｅｔｓ）が含まれる。例えば、ビデオデータのソースパケットにはヘッダーとトランスポートパケット（Ｔｒａｎｓｐｏｒｔ  Ｐａｃｋｅｔ）が含まれる。ソースパケットにはソースパケット番号が含まれるが、前記ソースパケット番号は一般的にソースパケットにアクセスするための住所の役割をするように順次割り当てられる番号である。トランスポートパケットにはパケット識別子（ＰＩＤ：Ｐａｃｋｅｔ  Ｉｄｅｎｔｉｆｉｅｒ）が含まれるが、前記ＰＩＤはトランスポートパケットが属するトランスポートパケットのシーケンス（Ｓｅｑｕｅｎｃｅ）を識別する。前記シーケンスにある各トランスポートパケットはＰＩＤが同じである。
【００１３】
前記ＣＬＩＰＩＮＦディレクトリには各Ａ／Ｖストリームファイルに連係するクリップ情報ファイルが含まれる。前記クリップ情報ファイルは連係するＡ／Ｖストリームのタイプ、シーケンス情報、プログラム情報、及びタイミング情報を指す。前記シーケンス情報は到着時間基準（ＡＴＣ）とシステム時間基準（ＳＴＣ）のシーケンスを説明する。例えば、前記シーケンス情報はシーケンスの数、各シーケンスのスタートと終わり時間情報、各シーケンスでの１番目のソースパケットの住所、及び各シーケンスでのトランスポートパケットのＰＩＤを指す。プログラムのコンテンツが一定なソースパケットのシーケンスがプログラムシーケンスと呼ばれる。プログラム情報はプログラムシーケンスの数、各プログラムシーケンスのスタート住所、及びプログラムシーケンスにあるトランスポートパケットのＰＩＤを指す。
【００１４】
前記タイミング情報は特徴ポイント情報（ＣＰＩ：Ｃｈａｒａｃｔｅｒｉｓｔｉｃ  Ｐｏｉｎｔ  Ｉｎｆｏｒｍａｔｉｏｎ）と呼ばれる。ＣＰＩの一つのタイプがエントリーポイント（ＥＰ：Ｅｎｔｒｙ  Ｐｏｉｎｔ）マップ（Ｍａｐ）である。前記ＥＰマップは、例えば到着時間（ＡＴＣ）及び／またはシステム時間（ＳＴＣ）を基準にして、プレゼンテーションタイムスタンプ（ＰＴＳ：Ｐｒｅｓｅｎｔａｔｉｏｎ  Ｔｉｍｅ  Ｓｔａｍｐ）をソースパケット番号（ＳＰＮ：Ｓｏｕｒｃｅ  Ｐａｃｋｅｔ  Ｎｕｍｂｅｒ）のようなソースパケット住所に連結（ｍａｐ）する。前記プレゼンテーションタイムスタンプ（ＰＴＳ）とソースパケット番号（ＳＰＮ）はＡ／Ｖストリームにあるエントリーポイント（ＥＰ）と関連される。すなわち、前記ＰＴＳとこれと関連したＳＰＮはＡ／Ｖストリームのエントリーポイント（ＥＰ）を指す。指されたパケットはたびたびエントリーポイントパケットと呼ばれる。
【００１５】
ＰＬＡＹＬＩＳＴディレクトリには一つ以上の再生リストファイルがある。再生リストは再生用クリップを容易に編集したり組み合わせたりするために導入された概念である。再生リストファイルはクリップにある再生区間（Ｐｌａｙｉｎｇ  Ｉｎｔｅｒｖａｌｓ）の集合であって、各再生区間は再生アイテム（Ｐｌａｙｉｔｅｍ）と呼ばれる。前記再生リストファイルは再生リストを形成する各再生アイテムを識別して、各再生アイテムは、例えばＡＴＣまたはＳＴＣを基準にするプレゼンテーションタイムスタンプのような、クリップの時間軸上の位置を指すＩＮ−ｐｏｉｎｔとＯＵＴ−ｐｏｉｎｔの対である。言い換えると、再生リストファイルは再生アイテムを識別して、各再生アイテムは一つのクリップまたはその一部を指してクリップと連係するクリップ情報ファイルを識別する。前記クリップ情報ファイルは前記再生アイテムをソースパケットのクリップに連結するのに使われる。
【００１６】
一般情報ファイル（図示せず）は光ディスクに記録されるＡ／Ｖストリームの再生を管理するための一般情報を提供する。
【００１７】
図１では、本発明による記録媒体のデータ構造を説明するだけでなく、記録媒体の領域を示している。例えば、前記一般情報ファイルは少なくとも一つの一般情報領域に記録されて、ＰＬＡＹＬＩＳＴディレクトリは少なくとも一つのＰＬＡＹＬＩＳＴディレクトリ領域に記録されて、ＰＬＡＹＬＩＳＴディレクトリ内の各再生リストは前記記録媒体の少なくとも一つの再生リスト領域に記録される。図２では図１のデータ構造を有する記録媒体に対する一例を示す。図２に示したように、前記記録媒体にはファイルシステム情報領域、データベース（Ｄａｔａｂａｓｅ）領域、そしてＡ／Ｖストリーム領域が含まれる。前記データベース領域には、一般情報ファイルと再生リスト情報領域、及びクリップ情報領域が含まれる。前記一般情報ファイルと再生リスト情報領域には、一般情報ファイル領域の一般情報ファイルと、再生リスト情報領域のＰＬＡＹＬＩＳＴディレクトリと再生リストファイルが記録される。前記クリップ情報領域には、ＣＬＩＰＩＮＦディレクトリと関連されるクリップ情報ファイルが記録される。前記Ａ／Ｖストリーム領域には多様なタイトルのＡ／Ｖストリームが記録される。
【００１８】
ビデオとオーディオデータは一般的に個別タイトルで編成されている。例えば、ビデオとオーディオデータにより表現される他の映画は他のタイトルで編成される。また、タイトルは、本が普通チャプター（Ｃｈａｐｔｅｒｓ）で編成されるように、多くのチャプターで編成されることができる。
【００１９】
ＢＤ−ＲＯＭ、ＢＤ−ＲＥのような新しい高密度記録媒体の貯蔵容量が非常に大きいため、いろいろなバージョンのタイトルがまたは１タイトルの一部を貯蔵して再生することができる。例えば、他のカメラ角度のビデオデータを記録媒体に記録したり、他の例として、タイトルに対するいろいろなバージョンまたは他の言語と関連した一部を前記記録媒体に記録することができる。また他の例として、タイトルに対する監督バージョン（Ｄｉｒｅｃｔｏｒ’ｓ  Ｖｅｒｓｉｏｎ）または映画館用バージョンも前記記録媒体に記録されることができる。または、１タイトルに対して完全成人バージョン、準成人バージョン、そして父母が制限することができる青少年バージョン、または１タイトルの一部を前記記録媒体に記録することができる。各バージョン、各カメラアングルなどは他の再生経路を有して、このような場合のビデオデータは多重再生経路ビデオデータ（Ｍｕｌｔｉｐｌｅ  Ｒｅｐｒｏｄｕｃｔｉｏｎ  Ｐａｔｈ  Ｖｉｄｅｏ  Ｄａｔａ）と呼ばれる。
【００２０】
ＢＤ−ＲＯＭのような新しい高密度記録媒体の貯蔵容量が大きいため、停止映像を、例えばスライドショーのように、用意した（Ｏｒｇａｎｉｚｅｄ）方式及び／またはユーザーインタラクティブ（Ｉｎｔｅｒａｃｔｉｖｅ）方式で記録して再生することができる。本発明による、高密度光ディスクで停止映像の再生を管理するためのデータ構造が停止映像の記録及び再生に関する本発明による方法及び装置発明と共に説明される。
【００２１】
図３では本発明の実施形態によって高密度記録媒体（例えば、高密度光ディスク）に対して停止映像を管理する方法を図示している。この実施形態で、例えばＢＤ−ＲＯＭのデータ領域の一部は停止映像だけのために残されて、一つまたは複数の停止映像（例えば、ＭＰＥＧＩ、ＪＰＥＧなど）が前記停止映像記録領域に記録される。または、停止映像記録領域はデータ領域に記録されるタイトルそれぞれに割り当てられることもあって、各タイトルに属する停止映像は連係する停止映像記録領域に記録される。
【００２２】
図４に示したように、停止映像（例えば、ＭＰＥＧＩ、ＪＰＥＧなど）は一つの停止映像ファイル（Ｓｔｉｌｌ*．ｔｄａｔ）に貯蔵されて、前記停止映像ファイルに連係されるナビゲーション情報はスチール情報ファイル（Ｓｔｉｌｌ*．ｉｎｆｏ）に貯蔵される。
【００２３】
前記スチール情報ファイルには、‘ｔｙｐｅ＿ｉｎｄｉｃａｔｏｒ’、‘ｖｅｒｓｉｏｎ＿ｎｕｍｂｅｒ’、‘ｌｅｎｇｔｈ’などの多様な情報フィールドが含まれる。前記‘ｔｙｐｅ＿ｉｎｄｉｃａｔｏｒ’フィールドは、前記情報ファイルが停止映像を管理するためのことであることを指して、したがって連係する停止映像ファイル内のデータに一つまたは複数の停止映像に対するデータが含まれることを指す。前記‘ｖｅｒｓｉｏｎ＿ｎｕｍｂｅｒ’フィールドはスチール情報ファイルのシンタックス（Ｓｙｎｔａｘ）バージョンを指して、前記‘ｌｅｎｇｔｈ’フィールドは前記シンタックスデータの大きさを指して、これはつながる情報フィールドの長さを指す。
【００２４】
もしも前記‘ｌｅｎｇｔｈ’が‘０’でなければ、‘ｎｕｍｂｅｒ＿ｏｆ＿ｓｔｉｌｌ＿ｉｍａｇｅｓ’フィールドは前記スチール情報ファイルと連係する停止映像ファイルに貯蔵される停止映像の数を指して、‘ｔｎ＿ｂｌｏｃｋ＿ｓｉｚｅ’フィールドは停止映像のブロック大きさを指す。図４に示したように、前記スチール情報ファイルには‘ｓｔｉｌｌ＿ｉｍａｇｅ＿ｉｎｄｅｘ’、‘ｉｍａｇｅ＿ｂｙｔｅ＿ｓｉｚｅ’、‘ｈｏｒｉｚｏｎｔａｌ＿ｉｍａｇｅ＿ｓｉｚｅ、及び‘ｖｅｒｔｉｃａｌ＿ｉｍａｇｅ＿ｓｉｚｅ’フィールドも含まれる。各フィールドの機能はフィールド名前から分かることができて、このようなフィールドは停止映像ファイルに貯蔵される各停止映像に対応する。
【００２５】
上で説明したように一つまたは複数の停止映像が一つの停止映像ファイル（Ｓｔｉｌｌ*．ｔｄａｔ）に貯蔵される時、各停止映像はＭＰＥＧ標準に定義されるパケッタイズドエレメンタリーストリーム（ＰＥＳ：Ｐａｃｋｅｔｉｚｅｄ  Ｅｌｅｍｅｎｔａｒｙ  Ｓｔｒｅａｍ）パケットで貯蔵される。図５に示したように、ＰＥＳパケットのペイロード（ｐａｙｌｏａｄ）は複数のソースパケット（Ｓｏｕｒｃｅ  Ｐａｃｋｅｔｓ）で構成されて、各ソースパケットは４バイトのトランスポートパケット（ＴＰ：Ｔｒａｎｓｐｏｒｔ  Ｐａｃｋｅｔ）エクストラヘッダー（ＴＰ  Ｅｘｔｒａ  Ｈｅａｄｅｒ）と１８８バイトのＭＰＥＧ２  ＴＰで構成される。
【００２６】
前記ＭＰＥＧ２トランスポートパケットのヘッダーには、該当パケットに停止映像が載せられることを指すためのスチールパケットＩＤ（Ｓｔｉｌｌ  ＰＩＤ）情報が含まれる。前記スチールＰＩＤは、例えばＢＤ−ＲＥ高密度光ディスクのような記録媒体に対する標準で定義されない値で与えられる。
【００２７】
図６の他の実施形態で、停止映像はそれぞれ相異なる停止映像ファイル（Ｓｔｉｌｌ００１．ｄａｔ、Ｓｔｉｌｌ００２．ｄａｔ、・・・）に貯蔵されて、前記停止映像と連係されるナビゲーション情報は一つのスチール情報ファイル（Ｓｔｉｌｌ*．ｉｎｆｏ）に貯蔵される。
【００２８】
前記スチール情報ファイルには、図４の実施形態を参照にして説明したことと同様に、‘ｔｙｐｅ＿ｉｎｄｉｃａｔｏｒ’、‘ｖｅｒｓｉｏｎ＿ｎｕｍｂｅｒ’、‘ｌｅｎｇｔｈ’、及び‘ｎｕｍｂｅｒ＿ｏｆ＿ｓｔｉｌｌ＿ｉｍａｇｅｓ’フィールドが含まれる。各停止映像に対して、前記スチール情報ファイルには、‘ｓｔｉｌｌ＿ｉｍａｇｅ＿ｉｎｄｅｘ’、‘ｉｍａｇｅ＿ｂｙｔｅ＿ｓｉｚｅ’、‘ｈｏｒｉｚｏｎｔａｌ＿ｉｍａｇｅ＿ｓｉｚｅ、及び‘ｖｅｒｔｉｃａｌ＿ｉｍａｇｅ＿ｓｉｚｅ’フィールドだけでなく、各停止映像ファイルの名前を貯蔵する‘ｉｍａｇｅ＿ｆｉｌｅ＿ｎａｍｅ’も含まれる。
【００２９】
図７では高密度記録媒体に対して停止映像を管理する方法に対する本発明の他の実施形態を図示している。図７に示したように、各停止映像は相異なる停止映像ファイル（Ｓｔｉｌｌ００１．ｄａｔ、Ｓｔｉｌｌ００２．ｄａｔ、・・・）に貯蔵されて、各停止映像と連係されるナビゲーション情報も相異なるスチール情報ファイル（Ｓｔｉｌｌ００１．ｉｎｆｏ、Ｓｔｉｌｌ００２．ｉｎｆｏ、・・・）に貯蔵される。各スチール情報ファイルには、図４の実施形態を参照にして説明したことと同様に、‘ｔｙｐｅ＿ｉｎｄｉｃａｔｏｒ’、‘ｖｅｒｓｉｏｎ＿ｎｕｍｂｅｒ’、‘ｌｅｎｇｔｈ’、‘ｉｍａｇｅ＿ｂｙｔｅ＿ｓｉｚｅ’、‘ｈｏｒｉｚｏｎｔａｌ＿ｉｍａｇｅ＿ｓｉｚｅ、及び‘ｖｅｒｔｉｃａｌ＿ｉｍａｇｅ＿ｓｉｚｅ’フィールドが含まれる。
【００３０】
停止映像とスチール情報ファイルを效率的に管理するためのファイル構造であって、図１のファイル構造とは違うファイル構造が以後詳細に説明される。図８では高密度記録媒体のファイル構造に対する本発明の一つの実施形態を図示している。ここで複数の停止映像は一つの停止映像ファイル（Ｓｔｉｌｌ．ｔｄａｔ）に貯蔵されて前記停止映像に対するナビゲーション情報も一つのスチール情報ファイル（Ｓｔｉｌｌ．ｉｎｆｏ）に貯蔵される。前記停止映像ファイルとスチール情報ファイルはルートディレクトリ（Ｒｏｏｔ  Ｄｉｒｅｃｔｏｒｙ）に、例えば‘ＢＤ’に置かれることができる。
【００３１】
前記ルートディレクトリ‘ＢＤ’には複数のタイトルディレクトリ（ＴＩＴＬＥ００１、ＴＩＴＬＥ００２、・・・）が含まれて、各タイトルディレクトリにはＰＬＡＹＬＩＳＴ、ＣＬＩＰＩＮＦ、及びＳＴＲＥＡＭと同じサブディレクトリが含まれる。
【００３２】
図９のファイル構造で、停止映像ファイルとスチール情報ファイルはすべてルートディレクトリ‘ＢＤ’にあって、ＴＩＴＬＥ、ＰＬＡＹＬＩＳＴ、ＣＬＩＰＩＮＦ、及びＳＴＲＥＡＭディレクトリもルートディレクトリ‘ＢＤ’にある。
【００３３】
図１０のファイル構造で、停止映像ファイルとスチール情報ファイルはすべてルートディレクトリ‘ＢＤ’のサブディレクトリであるＳＴＩＬＬディレクトリにある。前記ルートディレクトリには複数のタイトルディレクトリ（ＴＩＴＬＥ００１、ＴＩＴＬＥ００２、・・・）が含まれて、各タイトルディレクトリにはＰＬＡＹＬＩＳＴ、ＣＬＩＰＩＮＦ、及びＳＴＲＥＥＡＭディレクトリが含まれる。
【００３４】
図１１のファイル構造で、停止映像ファイルとスチール情報ファイルはすべてルートディレクトリ‘ＢＤ’のサブディレクトリであるＳＴＩＬＬディレクトリにある。ルートディレクトリにはＴＩＴＬＥ、ＰＬＡＹＬＩＳＴ、ＣＬＩＰＩＮＦ、及びＳＴＲＥＡＭディレクトリがさらに含まれる。
【００３５】
先に説明した実施形態では一つの停止映像ファイルと一つのスチール情報ファイルがある構造であるが、本発明はこのようなファイル構造に限定されない。代わりに、各停止映像または停止映像らの部分に対して別個の停止映像ファイルが、または／及び各停止映像または停止映像らの部分に対して別個のスチール情報ファイルが提供されることができる。または、このような実施形態の組合も可能である。
【００３６】
図１２では本発明の他の実施形態による停止映像を管理する方法を図示している。ここで、停止映像は、ムービービデオデータまたはオーディオデータが含まれたタイトルそれぞれに間欠的に挿入されている。図１２に示したように、前記タイトルはＢＤ−ＲＯＭのデータ領域に記録される。
【００３７】
ムービービデオデータと共に各タイトル内に記録される停止映像（例えば、ＭＰＥＧＩ、ＪＰＥＧ、等）はＰＥＳパケットで貯蔵される。ＰＥＳパケットのヘッダーには、ペイロードに含まれるデータが停止映像であることを指す固有のストリームＩＤ情報と、前記停止映像の表示時間を指すＰＴＳ（Ｐｒｅｓｅｎｔａｔｉｏｎ  Ｔｉｍｅ  Ｓｔａｍｐ）が含まれる。
【００３８】
ＰＥＳパケットのペイロードは複数のソースパケットで構成されるが、各ソースパケットは４バイトのＰＴエクストラヘッダーと１８８バイトのＭＰＥＧ２  ＴＰで構成される。前記ＰＴエクストラヘッダーは２ビットの複写情報（Ｃｏｐｙ  Ｉｎｆｏｒｍａｔｉｏｎ）と３０ビットのスチール情報またはパケット到着時間スタンプ（Ａｒｒｉｖａｌ  Ｔｉｍｅ  Ｓｔａｍｐ）で構成される。前記ソースパケットが停止映像に該当する場合、‘ｉｍａｇｅ＿ｓｔａｒｔ／ｅｎｄ＿ｆｌａｇ’のようなスチール情報が前記パケット到着時間スタンプの代わりに使われる。
【００３９】
ＭＰＥＧ２  ＴＰパケットのヘッダーにはスチールＰＩＤが含まれるが、ここにはＢＤ−ＲＥの標準で使われてない値、例えば‘０ｘ１０２３’が与えられる。図１３の実施形態で、複数の停止映像が載せられたソースパケットで１番目のソースパケットに、映像のスタート／エンドと映像の大きさのようなスチール情報が含まれる。
【００４０】
図１４の実施形態で、一つの停止映像が載せられたソースパケットで１番目のソースパケットに映像のスタート／エンドと映像の大きさのようなスチール情報が含まれる。図１５に示したように、前記スチール情報には‘ｓｔｉｌｌ＿ｓｔａｒｔ＿ｅｎｄ＿ｆｌａｇ’、‘ｉｍａｇｅ＿ｓｔａｒｔ＿ｅｎｄ＿ｆｌａｇ’、‘ｎｕｍｂｅｒ＿ｏｆ＿ｉｍａｇｅｓ’、‘ｄｉｓｐｌａｙ＿ｉｎｆｏ’、‘ｉｍａｇｅ＿ｉｎｆｏ’、及び‘ｉｍａｇｅ＿ｄａｔａ＿ｓｉｚｅ’などのフィールドが含まれる。
【００４１】
例えば、前記‘ｓｔｉｌｌ＿ｓｔａｒｔ＿ｅｎｄ＿ｆｌａｇ’フィールドが‘０’ならばこれは前記停止映像のスタート位置を指して、前記フィールドが‘１’ならばこれは前記停止映像の終わり位置を指す。前記‘ｎｕｍｂｅｒ＿ｏｆ＿ｉｍａｇｅｓ’フィールドは表示される停止映像の個数を指す。
【００４２】
前記‘ｉｍａｇｅ＿ｉｎｆｏ’フィールドは表示される停止映像の属性とディスプレー特性を指す。前記‘ｄｉｓｐｌａｙ＿ｉｎｆｏ’フィールドはディスプレータイミング、ディスプレー順序、ディスプレー効果、ディスプレー効果持続時間などを指す。前記‘ｉｍａｇｅ＿ｄａｔａ＿ｓｉｚｅ’フィールドは停止映像の大きさを指す。
【００４３】
図１６の実施形態で、スチール情報は１番目のソースパケット（Ｓｏｕｒｃｅ  Ｐａｃｋｅｔ  ＃１）のＴＰエクストラパケットに含まれる。他のソースパケットのＴＰエクストラパケットには前記スチール情報以外の他の情報が含まれる。
【００４４】
図１７の実施形態で、ソースパケットにスチール情報を貯蔵する代わり、スチールディスプレースタート（Ｓｔｉｌｌ  Ｄｉｓｐｌａｙ  Ｓｔａｒｔ）情報と停止映像スタート（Ｓｔｉｌｌ  Ｉｍａｇｅ  Ｓｔａｒｔ）情報が再生リスト情報に含まれて、このような情報は対応するソースパケットと連係される。
【００４５】
光ディスク再生装置では、スチール情報ファイルのような本発明によるナビゲーション情報を参照にして、ムービーデータと停止映像またはオーディオデータと停止映像を、例えば連結したテレビセットに出力する。図１８は本発明による光ディスク記録及び再生装置に対する構成を示したものである。Ａ／Ｖエンコーダー９は、データ（例えば、ムービービデオとオーディオデータまたはただオーディオデータだけ、及び／または停止映像データ）を入力受けてエンコーディングして、コーディング情報とストリーム属性情報と共に多重化装置（Ｍｕｌｔｉｐｌｅｘｅｒ）８に出力する。多重化装置８は、例えば、ＭＰＥＧ−２伝送ストリーム（ＭＰＥＧ−２  ｔｒａｎｓｐｏｒｔ  ｓｔｒｅａｍ）を作るために、前記入力されるコーディング情報とストリーム属性情報を基礎にして前記エンコーディングされたデータを多重化する。ソース・パケッタイザー（Ｓｏｕｒｃｅ  ｐａｃｋｅｔｉｚｅｒ）７は前記多重化装置８から入力される伝送パケットを光ディスクのオーディオビデオフォーマットに合うソースパケットでパケット化する。図１８に示したように、前記Ａ／Ｖエンコーダー９、前記多重化装置８、そして前記ソース・パケッタイザー７の動作はコントローラー１０により操縦される。前記コントローラー１０がユーザーから記録命令を受信すれば、前記Ａ／Ｖエンコーダー９、前記多重化装置８、そして前記ソース・パケッタイザー７に制御情報を送る。例えば、前記コントローラー１０は、前記Ａ／Ｖエンコーダー９に実行するエンコーディングタイプを指示して、前記多重化装置８に作り出す伝送ストリームを指示して、そして前記ソース・パケッタイザー７にソースパケットのフォーマットを指示する。また、前記コントローラー１０は光ディスクに前記ソース・パケッタイザー７の出力を記録することができるようにドライブ３を制御する。
【００４６】
また、前記コントローラー１０は光ディスクに記録されているデータの再生を管理するためのナビゲーション情報と管理情報を作り出す。例えば、ユーザーとのインターフェース（ディスクに貯蔵されているかコンピュータシステムによりイントラネットまたはインターネットを介して提供する命令語）を介して受けた情報を基礎にして、前記コントローラー１０は前記光ディスクに図１ないし図１７のデータ構造のうち一つまたは複数を記録するように前記ドライブ３を制御する。
【００４７】
再生する間には、前記コントローラー１０はデータ構造を再生するように前記ドライブ３を制御する。すなわち、ディスクに含まれた情報とユーザーインターフェース（記録及び再生装置の操作ボタンまたは前記装置と関連された遠隔操縦）を介して受けたユーザー入力を基礎にして、前記コントローラー１０は前記光ディスクからデータを再生するように前記ドライブ３を制御する。例えば、本発明の実施形態を参照にして説明したように、一つの停止映像または停止映像らがスチール情報ファイルにより提供されるナビゲーション情報を基礎にして再生されることができる。
【００４８】
ソース・デパケッタイザー（Ｓｏｕｒｃｅ  Ｄｅｐａｃｋｅｔｉｚｅｒ）４は再生されたソースパケットを入力受けてＭＰＥＧ−２伝送パケットストリームのようなデータストリームに転換する。多重分離装置（Ｄｅｍｕｌｔｉｐｌｅｘｅｒ）５は前記データストリームをエンコーディングされたデータに逆多重化する。Ａ／Ｖデコーダー６はエンコーディングされたデータをデコーディングして元のデータに作る。再生する間、前記ソース・デパケッタイザー４、前記多重分離装置５、そして前記Ａ／Ｖデコーダー６の動作は前記コントローラー１０により操縦される。前記コントローラー１０がユーザーから再生命令を受信すれば、前記ソース・デパケッタイザー４、前記多重分離装置５、そして前記Ａ／Ｖデコーダー６に制御情報を送る。例えば、前記コントローラー１０は、前記ソース・デパケッタイザー４にソースパケットのフォーマットを指示して、前記多重分離装置５に逆多重化する伝送ストリームを指示して、そして前記Ａ／Ｖデコーダー６に実行するデコーディングタイプを指示する。
【００４９】
図１８には記録と再生装置に関して図示しているが、図１８の構成要素一部だけで記録動作または再生動作だけ提供する専用記録装置または専用再生装置も可能である。
【００５０】
図１９に示したように、前記装置では、ムービービデオとオーディオデータを含む各タイトル内に間欠的に記録される停止映像を読んで臨時バッファーに貯蔵して、前述したような多様な方式で記録されたスチール情報を利用して停止映像を表示する動作を遂行する。
【００５１】
図２０に示したように、前記光ディスク再生装置では、各タイトルに貯蔵される停止映像をムービービデオとオーディオデータと共に読んで、これをＶＤＰシステムの内部臨時バッファーに貯蔵する。以後、前記装置では、停止映像の表示時間とビデオまたはオーディオデータのプレゼンテーションタイムを利用して、停止映像とビデオまたはオーディオデータのタイミングを同期して再生する動作を遂行する。
【００５２】
上で説明したように、本発明は高密度記録媒体（例えば、ＢＤ−ＲＯＭのような高密度光ディスク）に記録される停止映像を管理するためのデータ構造を有する記録媒体を提供する。例えば、前記データ構造ではムービービデオと停止映像またはオーディオと停止映像を多くの方法で表示することができるようにする。
【００５３】
また、本発明は記録媒体に記録される停止映像を管理するために、高密度記録媒体にデータ構造を記録する方法と装置を提供する。
【００５４】
以上、前述した本発明の望ましい実施形態は例示の目的のために開示されたものであって、前記ＢＤ−ＲＯＭ以外の他の光ディスクにも拡大適用が可能であり、また当業者ならば添付された特許請求範囲に開示された本発明の技術的思想とその技術的範囲内で、多様な他の実施形態を改良、変更、代替または付加などが可能であることである。
【図面の簡単な説明】
【００５５】
【図１】本発明による記録媒体のファイルまたはデータ構造を示したものである。
【図２】図１のデータ構造を有する記録媒体を示した図である。
【図３】本発明の実施形態によって高密度光ディスクに対して停止映像を管理する方法を示した図である。
【図４】本発明の実施形態による停止映像とスチール情報ファイルを記録して管理する方法をさらに示した図である。
【図５】本発明の実施形態による停止映像とスチール情報ファイルを記録して管理する方法をさらに示した図である。
【図６】本発明の実施形態による停止映像とスチール情報ファイルを記録して管理する方法をさらに示した図である。
【図７】本発明の実施形態による停止映像とスチール情報ファイルを記録して管理する方法をさらに示した図である。
【図８】本発明による高密度記録媒体に対するファイル構造の他の実施形態を示した図である。
【図９】本発明による高密度記録媒体に対するファイル構造の他の実施形態を示した図である。
【図１０】本発明による高密度記録媒体に対するファイル構造の他の実施形態を示した図である。
【図１１】本発明による高密度記録媒体に対するファイル構造の他の実施形態を示した図である。
【図１２】本発明の他の実施形態による停止映像とスチール情報を記録する方法を示した図である。
【図１３】本発明の他の実施形態による停止映像とスチール情報を記録する方法を示した図である。
【図１４】本発明の他の実施形態による停止映像とスチール情報を記録する方法を示した図である。
【図１５】本発明の他の実施形態による停止映像とスチール情報を記録する方法を示した図である。
【図１６】本発明の他の実施形態による停止映像とスチール情報を記録する方法を示した図である。
【図１７】本発明の他の実施形態による停止映像とスチール情報を記録する方法を示した図である。
【図１８】本発明による光ディスク記録及び再生装置の構成を示した図である。
【図１９】本発明の実施形態によって高密度光ディスクに対して停止映像を再生する方法を示した図である。
【図２０】本発明の実施形態によって高密度光ディスクに対して停止映像を再生する方法を示した図である。
【図１】
2005538605.tif 000003
【図２】
2005538605.tif 000004
【図３】
2005538605.tif 000005
【図４】
2005538605.tif 000006
【図５】
2005538605.tif 000007
【図６】
2005538605.tif 000008
【図７】
2005538605.tif 000009
【図８】
2005538605.tif 000010
【図９】
2005538605.tif 000011
【図１０】
2005538605.tif 000012
【図１１】
2005538605.tif 000013
【図１２】
2005538605.tif 000014
【図１３】
2005538605.tif 000015
【図１４】
2005538605.tif 000016
【図１５】
2005538605.tif 000017
【図１６】
2005538605.tif 000018
【図１７】
2005538605.tif 000019
【図１８】
2005538605.tif 000020
【図１９】
2005538605.tif 000021
【図２０】
2005538605.tif 000022
【国際調査報告】
2005538605.tif 000023
2005538605.tif 000024